(57)【要約】【課題】電気コードを調整しなくても支持台の取付けや位置の調整ができ、且つ電気コードが露出せず、整然とした外観を有する収納棚の提供。【解決手段】複数の支持台設置位置が配置され、表面に電気供給部２６を有している支持フレーム２と、表面に発光できる照明手段３２及び電気接続部が配置され、複数の支持台設置位置に取付けられることができ、且つ、物体を支持できる上面３７と、上面３７の反対側にある下面３６とを有する支持台３とを有する収納棚であって、電気接続部と照明手段３２とは、支持台３に内蔵されている配線によって電気的に接続されており、電気供給部２６と電気接続部とは、支持台３が複数の支持台設置位置に取付けられると、電気接続部が電気供給部２６と電気的に接続して、照明手段３２に対して電気を提供するように互いに対応して配置構成されていることを特徴とする収納棚。【選択図】図２
2015071027.tif 000002
【特許請求の範囲】
【請求項１】
複数の支持台設置位置が配置されていると共に、表面に少なくとも１つの電気供給部を有している支持フレームと、
表面に、光を発することができる照明装置を有する照明手段及び電気接続部が配置されていると共に、前記支持フレームが有する複数の支持台設置位置におけるいずれか１つに取付けられることができ、且つ、水平方向と略一致して物体を支持することができる上面と、該上面の反対側にある下面とを有する支持台と、を有する収納棚であって、
前記電気接続部と前記照明手段とは、前記支持台に内蔵されている配線によって電気的に接続されており、
前記電気供給部と前記電気接続部とは、前記支持台が、前記支持フレームが有する複数の支持台設置位置におけるいずれか１つに取付けられると、前記支持台の表面にある前記電気接続部が前記支持フレームの表面にある前記電気供給部と接触して電気的に接続し、前記電気供給部から前記電気接続部を経由して前記照明手段に対して電気を提供するように互いに対応して配置構成されていることを特徴とする収納棚。
【請求項２】
前記複数の支持台設置位置は、所定の直線に沿って並ぶように配置されており、
前記電気供給部は、前記所定の直線と平行に延伸するように構成されていることを特徴とする請求項１に記載の収納棚。
【請求項３】
前記電気供給部は、少なくとも前記所定の直線に沿って並ぶ前記複数の支持台設置位置において先頭にある前記支持台設置位置に臨む箇所から末尾にある前記支持台設置位置に臨む箇所まで前記所定の直線と平行に延伸する一対の電気供給レールからなり、各前記電気供給レールはそれぞれ前記所定の直線と平行に延伸する接電溝を有するように形成されており、
前記支持台の表面にある前記電気接続部は、前記一対の電気供給レールがそれぞれ有する前記接電溝に嵌め込むことができるように突起する一対の接電端子を有していることを特徴とする請求項２に記載の収納棚。
【請求項４】
前記支持フレームに、前記所定の直線と平行に並ぶ複数の挿込孔が凹設されており、
更に、各前記挿込孔にそれぞれ挿し込まれることができる挿入部と、前記挿入部が前記挿込孔に挿し込まれる際に前記支持フレームから突起する支持部とを有するように構成された複数の支持手段を備え、
前記支持台は、前記挿込孔に挿し込まれている前記支持手段が有する前記支持部によって、前記複数の支持台設置位置におけるいずれか１つに支持されるように取付けられていることを特徴とする請求項３に記載の収納棚。
【請求項５】
前記支持フレームは、一枚の板体を有しており、前記複数の挿込孔及び前記一対の電気供給レールは、前記板体の一面に配置されていることを特徴とする請求項４に記載の収納棚。
【請求項６】
前記支持フレームは、互いに向き合う一対の板体を有しており、
前記一対の板体の互いに向き合う面に、それぞれ１つの前記電気供給レール及び前記複数の挿込孔が配置されていることを特徴とする請求項４に記載の収納棚。
【請求項７】
前記支持フレームは、互いに向き合う一対の板体を有しており、
前記一対の板体の互いに向き合う面における１つの面に前記一対の電気供給レールが配置され、
前記一対の板体の互いに向き合う面に、それぞれ前記複数の挿込孔が配置されていることを特徴とする請求項４に記載の収納棚。
【請求項８】
前記支持フレームは、一枚の裏面板と互いに向き合う一対の側面板とを有しており、
前記一対の電気供給レールは、前記裏面板の一面に配置され、
前記一対の板体の互いに向き合う面に、それぞれ前記複数の挿込孔が配置されていることを特徴とする請求項４に記載の収納棚。
【請求項９】
前記支持台に配置されている前記照明手段は、
前記支持台の前記下面に嵌設されているダクトレールを更に有し、前記照明装置は、前記ダクトレールに沿って移動できるように取り付けられていることを特徴とする請求項１に記載の収納棚。
【請求項１０】
前記照明装置は、前記支持台の前記下面に、一直線に沿って配置されている複数のＬＥＤ照明ユニットを有することを特徴とする請求項１に記載の収納棚。
【請求項１１】
前記支持台は、前記下面と直交し、且つ前記支持フレームが有する前記板体に臨む内側設置面を有しており、
前記照明装置は、前記支持台の前記内側設置面に、水平方向と略平行するように配置されている複数のＬＥＤ照明ユニットを有することを特徴とする請求項５に記載の収納棚。
【請求項１２】
前記照明装置は、スポットライトであることを特徴とする請求項１に記載の収納棚。
【請求項１３】
前記照明装置は、パネルライトであることを特徴とする請求項１に記載の収納棚。
【請求項１４】
前記照明装置は、色温度を調節する調色機能及び照度を調整する調光機能を有することを特徴とする請求項１に記載の収納棚。
【請求項１５】
前記照明手段が有する前記照明装置の発光を制御すると共に、発光操作パネルが露出する発光制御手段が前記支持台に内蔵されていることを特徴とする請求項１に記載の収納棚。
【請求項１６】
前記電気供給部と電気的に接続して前記電気供給部と前記電気接続部に対する電気の提供を制御すると共に、電源操作パネルが露出する電源制御手段が前記支持フレームに内蔵されていることを特徴とする請求項１５に記載の収納棚。
【請求項１７】
前記電源制御手段が有する電源操作パネルと、前記発光制御手段が有する発光操作パネルとは、いずれも、ボタンスイッチ、タッチパネル、無線リモートコントロールからなる群より選ばれたいずれか１種の操作インターフェイスを採用していることを特徴とする請求項１６に記載の収納棚。
【請求項１８】
前記電源制御手段が有する電源操作パネルと、前記発光制御手段が有する発光操作パネルとは、赤外線リモートコントロール操作インターフェイスを採用していることを特徴とする請求項１７に記載の収納棚。
【発明の詳細な説明】
【技術分野】
【０００１】
本発明は収納棚に関し、特に支持台に照明手段が取り付けられている収納棚に関する。
【背景技術】
【０００２】
従来の組立式収納棚は、例えば図１に示されるように、底板１１と、天板１２と、所定の直線と平行に並ぶ複数の挿込孔１８が配置されている一対の側面板１３と、コンセント１７が配置されている背面板１４と、挿込孔１８と支持部材（図示せず）によって支持されるように取付けられている複数の支持台１５と、複数の支持台１５と天板１２に展示品を照明するために取り付けられている照明具１６とにより構成される組立式収納棚が記載されている。該組立式収納棚において、支持台１５は、展示品の寸法に合わせるため、挿込孔１８と支持部材（図示せず）によって他の設置位置に移動され、複数の支持台１５の互いの距離、或いは支持台１５と底板１１の距離または支持台１５と天板１２の距離が細かく調整できる。
【０００３】
しかし、支持台１５を他の設置位置に移動する際、支持台１５に取り付けられている照明具１６に接続されている電気コードが露出する具合も支持台１５の設置位置に応じて大きくなることになり、収納棚の見た目が悪くなることもある。
【０００４】
また、特許文献１に記載されている収納棚に対して、電気コードが全て内蔵されたものもあるが、各設置位置にそれぞれ対応する接続端子を逐一設けなければならず、そして支持台１５の設置位置を変更する際に照明具１６を変更先の設置位置に対応する接続端子に接続し直さなければならないので、コストが高まり且つ手間がかかる問題点が生じることになる。
【先行技術文献】
【特許文献】
【０００５】
【特許文献１】台湾実用新案第Ｍ４４１３９９号明細書
【発明の概要】
【発明が解決しようとする課題】
【０００６】
上記問題点に鑑みて、本発明は、電気コードを調整しなくても支持台の取付けや位置の調整ができ、且つ、電気コードが露出せず、従来の収納棚より整然とした外観を有する収納棚の提供を目的とする。
【課題を解決するための手段】
【０００７】
上記目的を達成すべく、本発明は、複数の支持台設置位置が配置されていると共に、表面に少なくとも１つの電気供給部を有している支持フレームと、表面に、光を発することができる照明装置を有する照明手段及び電気接続部が配置されていると共に、前記支持フレームが有する複数の支持台設置位置におけるいずれか１つに取付けられることができ、且つ、水平方向と略一致して物体を支持することができる上面と、該上面の反対側にある下面とを有する支持台と、を有する収納棚であって、前記電気接続部と前記照明手段とは、前記支持台に内蔵されている配線によって電気的に接続されており、前記電気供給部と前記電気接続部とは、前記支持台が、前記支持フレームが有する複数の支持台設置位置におけるいずれか１つに取付けられると、前記支持台の表面にある前記電気接続部が前記支持フレームの表面にある前記電気供給部と接触して電気的に接続し、前記電気供給部から前記電気接続部を経由して前記照明手段に対して電気を提供するように互いに対応して配置構成されていることを特徴とする収納棚を提供する。
【０００８】
上記の収納棚において、前記複数の支持台設置位置は、所定の直線に沿って並ぶように配置されており、前記電気供給部は、前記所定の直線と平行に延伸するように構成されていることが好ましい。
【０００９】
上記の収納棚において、前記電気供給部は、少なくとも前記所定の直線に沿って並ぶ前記複数の支持台設置位置において先頭にある前記支持台設置位置に臨む箇所から末尾にある前記支持台設置位置に臨む箇所まで前記所定の直線と平行に延伸する一対の電気供給レールからなり、各前記電気供給レールはそれぞれ前記所定の直線と平行に延伸する接電溝を有するように形成されており、前記支持台の表面にある前記電気接続部は、前記一対の電気供給レールがそれぞれ有する前記接電溝に嵌め込むことができるように突起する一対の接電端子を有していることが好ましい。
【００１０】
上記の収納棚において、前記支持フレームに、前記所定の直線と平行に並ぶ複数の挿込孔が凹設されており、更に、各前記挿込孔にそれぞれ挿し込まれることができる挿入部と、前記挿入部が前記挿込孔に挿し込まれる際に前記支持フレームから突起する支持部とを有するように構成された複数の支持手段を備え、前記支持台は、前記挿込孔に挿し込まれている前記支持部によって、前記複数の支持台設置位置におけるいずれか１つに支持されるように取付けられていることが好ましい。
【００１１】
上記の収納棚において、前記支持フレームは、一枚の板体を有しており、前記複数の挿込孔及び前記一対の電気供給レールは、前記板体の一面に配置されていることが好ましい。
【００１２】
上記の収納棚において、前記支持フレームは、互いに向き合う一対の板体を有しており、前記一対の板体の互いに向き合う面に、それぞれ１つの前記電気供給レール及び前記複数の挿込孔が配置されていることが好ましい。
【００１３】
上記の収納棚において、前記支持フレームは、互いに向き合う一対の板体を有しており、前記一対の板体の互いに向き合う面における１つの面に前記一対の電気供給レールが配置され、前記一対の板体の互いに向き合う面に、それぞれ前記複数の挿込孔が配置されていることが好ましい。
【００１４】
上記の収納棚において、前記支持フレームは、一枚の裏面板と互いに向き合う一対の側面板とを有しており、前記一対の電気供給レールは、前記裏面板の一面に配置され、前記一対の板体の互いに向き合う面に、それぞれ前記複数の挿込孔が配置されていることが好ましい。
【００１５】
上記の収納棚において、前記支持台に配置されている前記照明手段は、前記支持台の前記下面に嵌設されているダクトレールを更に有し、前記照明装置は、前記ダクトレールに沿って移動できるように取り付けられていることが好ましい。
【００１６】
上記の収納棚において、前記照明装置は、前記支持台の前記下面に、一直線に沿って配置されている複数のＬＥＤ照明ユニットを有することが好ましい。
【００１７】
上記の収納棚において、前記支持台は、前記下面と直交し、且つ前記支持フレームが有する前記板体に臨む内側設置面を有しており、前記照明装置は、前記支持台の前記内側設置面に、水平方向と略平行するように配置されている複数のＬＥＤ照明ユニットを有することが好ましい。
【００１８】
上記の収納棚において、前記照明装置は、スポットライトであることが好ましい。
上記の収納棚において、前記照明装置は、パネルライトであることが好ましい。
上記の収納棚において、前記照明装置は、色温度を調節する調色機能及び照度を調整する調光機能を有することが好ましい。
【００１９】
上記の収納棚において、前記照明手段が有する前記照明装置の発光を制御すると共に、発光操作パネルが露出する発光制御手段が前記支持台に内蔵されていることが好ましい。
【００２０】
上記の収納棚において、前記電気供給部と電気的に接続して前記電気供給部と前記電気接続部に対する電気の提供を制御すると共に、電源操作パネルが露出する電源制御手段が前記支持フレームに内蔵されていることが好ましい。
【００２１】
上記の収納棚において、前記電源制御手段が有する電源操作パネルと、前記発光制御手段が有する発光操作パネルとは、いずれも、ボタンスイッチ、タッチパネル、無線リモートコントロールからなる群より選ばれたいずれか１種の操作インターフェイスを採用していることが好ましい。
【００２２】
上記の収納棚において、前記電源制御手段が有する電源操作パネルと、前記発光制御手段が有する発光操作パネルとは、赤外線リモートコントロール操作インターフェイスを採用していることが好ましい。
【発明の効果】
【００２３】
上記の構成によれば、本発明の収納棚は、複数の支持台設置位置を有する支持フレームに配置されている電気供給部と、支持台に配置され、前記支持台が前記支持フレームが有する複数の支持台設置位置におけるいずれか１つに取付けられると、前記支持フレームにある電気供給部と接触して電気的に接続できる前記電気接続部とを有するので、支持台は支持部により支持台設置位置に設置されると、前記電気供給部と前記電気接続部との電気的接続により支持台に取り付けられている照明手段に対して電気を提供ができる。従って、支持台の設置位置を変更する際に電気コードを調整する必要がなく、そして電気コードが露出しない整然とした外観を有する収納棚の提供ができる。
【図面の簡単な説明】
【００２４】
【図１】従来の組立て式の収納棚が示される斜視図である。
【図２】本発明の第１の実施形態が示される斜視図である。
【図３】本発明の第１の実施形態において、複数のＬＥＤ照明ユニットが配置されている支持台が示される斜視図である。
【図４】本発明の第１の実施形態において、ダクトレールに取り付けられている照明装置が配置されている支持台が示される斜視図である。
【図５】本発明の第１の実施形態において、一対の接電端子が、一対の電気供給レールがそれぞれ有する接電溝に嵌まり込んでいることが示される部分斜視断面図である。
【図６】本発明の第２の実施形態が示される斜視図である。
【図７】本発明の第２の実施形態において、一対の接電端子が、一対の電気供給レールがそれぞれ有する接電溝に嵌まり込んでいることが示される部分断面図である。
【図８】本発明の第３の実施形態が示される斜視図である。
【図９】本発明の第３の実施形態において、一対の接電端子が、一対の電気供給レールがそれぞれ有する接電溝に嵌まり込んでいることが示される部分断面図である。
【図１０】本発明の第４の実施形態が示される斜視図である。
【図１１】本発明の第４の実施形態において、一対の接電端子が、一対の電気供給レールがそれぞれ有する接電溝に嵌まり込んでいることが示される部分断面図である。
【図１２】本発明の第５の実施形態が示される斜視図である。
【図１３】本発明の第５の実施形態において、一対の接電端子が、一対の電気供給レールがそれぞれ有する接電溝に嵌まり込んでいることが示される部分断面図である。
【図１４】本発明の他の実施形態において、内側設置面に複数のＬＥＤ照明ユニットが配置されている支持台が示される斜視図である。
【発明を実施するための形態】
【００２５】
以下は添付の図面を参照しながら、本発明の収納棚の各好ましい実施形態について説明する。
まず、図２、図３、図４及び図５を用いて本発明の収納棚の第１の実施形態について説明する。
【００２６】
図２、図３、図４及び図５に示されているように、本発明の収納棚の第１の実施形態は、略水平に配置されている底板２１と、底板２１と直交して垂直に配置されている裏面板２４とからなる支持フレーム２と、支持フレーム２の裏面板２４に略水平に取り付けられている２枚の支持台３とにより構成されている。
【００２７】
支持フレーム２において、裏面板２４には、複数の挿込孔２５０と電気供給部２６が設置されている。
複数の挿込孔２５０は、底板２１と直交する直線Ｌと平行に所定の距離を開けて２列になって並び、且つ水平方向において互いに対応する高さで垂直に並ぶ複数の支持台設置位置２５を決定するように凹設されている。
【００２８】
電気供給部２６は、相隣している一対の電気供給レール、即ち第１の電気供給レール２６１と第２の電気供給レール２６２からなるものである。この第１の電気供給レール２６１と第２の電気供給レール２６２は、直線Lと平行に、裏面板２４における底板２１の上面に対応する位置から、裏面板２４における最上端の挿込孔２５０により決定される支持台設置位置２５まで延伸する。ちなみに、本発明において電気供給部２６と接続する電源としては、使用者が一対の電気供給レール２６１，２６２を同時に触って感電して負傷することを防止するために、出力電圧を２５Ｖ以下に抑えた直流電源（図示せず）を使用することが好ましい。
【００２９】
この第１の実施形態においては、電気供給部２６と接続する電源として出力電圧が１２Ｖの直流電源を使用している。なお、一対の電気供給レール２６１，２６２は、それぞれが直線Lと平行に延伸する接電溝２７を有するように形成されている。そして、第１の電気供給レール２６１は前記直流電源の正極と電気的に接続され、第２の電気供給レール２６２は前記直流電源の負極と電気的に接続されている。
【００３０】
支持台３は、各挿込孔２５０にそれぞれ挿し込まれることができる挿入部と、該挿入部が挿込孔２５０に挿し込まれる際に支持フレーム２から突起し、支持台３を支持できる支持部とを有するように構成された複数の支持手段５によって、複数の支持台設置位置２５におけるいずれか１つに支持されるように取付けられている。
【００３１】
支持台３は、本体３１と、水平方向と略一致して物体を支持することができる上面３７と、上面３７の反対側にある下面３６と、下面３６と直交し、且つ複数の支持台設置位置２５を有する板体に臨む内側設置面３８とを有している。この第１の実施形態において、支持台３の内側設置面３８は、裏面板２４に臨む面である。
【００３２】
また、支持台３の表面には、図５に示されているように光を発することができる照明装置３２１を有する照明手段３２及び一対の電気供給レール２６１，２６２がそれぞれ有する接電溝２７に嵌め込むことができるように突起する一対の接電端子３５１を有している電気接続部３５が配置されている。なお、電気接続部３５と照明手段３２とは、本体３１に内蔵されている配線とする接続回路３３によって電気的に接続されている。
【００３３】
電気供給部２６と電気接続部３５とは、支持台３が支持フレーム２が有する複数の支持台設置位置２５におけるいずれか１つに取付けられると、支持台３の表面にある電気接続部３５が支持フレーム２の表面にある電気供給部２６と接触して電気的に接続し、電気供給部２６から電気接続部３５を経由して照明手段３２に対して電気を提供するように互いに対応して配置構成されている。
【００３４】
この第１の実施形態の２枚の支持台３がそれぞれ有する一対の接電端子３５１は、内側設置面３８において裏面板２４に設置された一対の電気供給レール２６１，２６２の位置に対応し、支持台３が支持台設置位置２５に設置されると一対の電気供給レール２６１，２６２に嵌まり込むように設置されている。
【００３５】
即ち、支持台３は、支持手段５によって複数の支持台設置位置２５に支持される際に、一対の接電端子３５１が裏面板２４に配置されている一対の電気供給レール２６１，２６２がそれぞれ有する接電溝２７に嵌まり込んで電気的に接続されることにより、電気が一対の電気供給レール２６１，２６２から一対の接電端子３５１を経由して照明手段３２に提供するように構成されている。
【００３６】
そして、支持台３における照明手段３２については、例えば図２に示されているように、上側に配置されている支持台３に、図３に示されている下面３６に一直線に沿って配置されている複数のＬＥＤ照明ユニットと、該複数のＬＥＤ照明ユニットを覆う拡散板３２０とにより構成された照明装置３２１が２つ取り付けられ、下側に配置されているもう１枚の支持台３に、図４に示されている下面３６に嵌設されたダクトレール３２２と、ダクトレール３２２に沿って移動できるように取り付けられているスポットライトとにより構成された照明装置３２１が２つ取り付けられる構造を採用することができる。
【００３７】
ちなみに、照明装置３２１の種類と設置位置はこの第１の実施形態に限定されず、例えばパネルライトまたは色温度を調節する調色機能及び照度を調整する調光機能を有する照明装置を採用でき、支持台３の上面３７にも照明装置３２１を配置することが可能である。また、図１４に示されるように、一直線に沿って配置されている複数のＬＥＤ照明ユニットと、該複数のＬＥＤ照明ユニットを覆う拡散板３２０とにより構成された照明装置３２１を、内側設置面３８に配置することも可能である。
【００３８】
更に、支持フレーム２には、電気供給部２６と電気的に接続して電気供給部２６の電気接続部３５に対する電気の提供を制御すると共に、外部から操作を受付ける電源操作パネル４１が露出する電源制御手段４が内蔵されている。支持台３には、照明手段３２が有する照明装置３２１の発光を制御すると共に、外部から操作を受付ける発光操作パネル３４１が露出する発光制御手段３４が内蔵されている。
【００３９】
この第１の実施形態において、電源制御手段４は、裏面板２４における支持台３に臨む面に内蔵されている。発光制御手段３４は、支持台３における裏面板２４に臨む内側設置面３８の反対側にある外側面に内蔵されている。
【００４０】
電源制御手段４が有する電源操作パネル４１と、発光制御手段３４が有する発光操作パネル３４１とは、いずれも、ボタンスイッチ、タッチパネル、または赤外線リモートコントロールなどの無線リモートコントロールより選ばれたいずれか１種の操作インターフェイスを採用している。
【００４１】
上記の構成によれば、本発明の収納棚において、支持台３は、支持手段５により支持台設置位置２５に設置されると、支持台３に設置された一対の接電端子３５１が、支持フレーム２に配置された一対の電気供給レール２６１，２６２それぞれが有する接電溝２７に嵌まり込んで、電気的に接続されるので、支持台３の設置位置を変更する際に電気コードを調整する必要がない。更に、本発明の収納棚において、すべての電気的な接続手段は、支持フレーム２に配置された一対の電気供給レール２６１，２６２と、支持台３の内側設置面３８に設置された一対の接電端子３５１と、支持台３に内蔵されている接続回路３３とにより構成されているので、本発明の収納棚は、電気コードが露出せずに、照明手段３２に対して電気を提供できて、従来の収納棚より整然とした外観を有する。
【００４２】
ちなみに、この実施形態において支持台３の各設置位置は、各挿込孔２５０の形成位置及び各挿込孔２５０に挿し込まれる各支持手段５によって決定されるが、本発明はこれに限定されず、支持台を支持フレームにおける所定の位置に仮固定できる手段であれば、支持台の各設置位置を決定することができる。例えば、支持台に対応する挿込孔に挿し込むピンを形成することや、支持台及び支持フレームの互いに対応する箇所に互いに引き合う磁性手段を配置することなどが考えられる。
【００４３】
また、電気供給部２６及び電気接続部３５についても同じく、電気供給レールと電気供給レールに挿込まれる接電端子とが対応する電気接続方法に制限されず、例えば支持フレームに形成されて支持台の各設置位置を決定する挿込孔と、支持台を支持フレームに形成される挿込孔に挿し込んで仮固定するピンにそれぞれ電気接続手段を配置することなども考えられる。
【００４４】
次いで、図６と図７を用いて本発明の第２の実施形態について説明する。
本発明の第２の実施形態は、上記第１の実施形態と類似する構成を有するので、ここでは詳しい説明を省略し、その相違点のみを説明する。
【００４５】
図６及び図７に示されているように、本発明の第２の実施形態は、天板２２と互いに向き合う一対の側面板２３と底板２１とからなる支持フレーム２と、２枚の支持台３とにより構成されている。
【００４６】
この第２の実施形態の支持フレーム２において、一対の電気供給レール２６１，２６２は一対の側面板２３における１つが有する他の側面板２３に向き合う面に配置されている。複数の挿込孔２５０は、一対の側面板２３の互いに向き合う面に、それぞれ底板２１と直交する直線Ｌと所定の距離を置いて２列に並び、且つ水平方向において互いに対応する高さで垂直に並ぶ複数の支持台設置位置２５を決定するように凹設されている。電源制御手段４は、一対の電気供給レール２６１，２６２を有する側面板２３において、同じ高さにある２つの挿込孔２５０を結ぶように延伸する直線と直交する１つの面に電源操作パネル４１が露出するように内蔵されている。ちなみに、該電源操作パネル４１が露出する面が向かう側は、使用状態において正面側として扱われる。
【００４７】
この第２の実施形態の２枚の支持台３において、図７に示されているように、一対の接電端子３５１は、一対の電気供給レール２６１，２６２が配置された１つの側面板２３に臨む内側設置面３８に、一対の電気供給レール２６１，２６２の位置に対応して設置されている。発光制御手段３４は、支持台３の前記正面側に向かう面に発光操作パネル３４１が露出するように内蔵されている。
【００４８】
また、天板２２及び底板２１にも、支持台３と同じように照明手段３２と、照明手段３２に電気を供給する接電端子３５１及び接続回路３３を配置することも可能である。
【００４９】
この第２の実施形態の構成によれば、複数の挿込孔２５０と一対の電気供給レール２６１，２６２とを有する一対の側面板２３と、一対の電気供給レール２６１，２６２の位置に対応して設置された一対の接電端子３５１を有する支持台３とによって、支持台３が複数の支持台設置位置２５に設置できるとともに、電気的に接続させることができる。更に、上記以外の構成は本発明の第１の実施形態と類似するので、本発明の第１の実施形態と同じ機能と効果が発揮できる。
【００５０】
次いで、図８と図９を用いて本発明の第３の実施形態について説明する。
本発明の第３の実施形態は、上記第２の実施形態と類似する構成を有するので、ここでは詳しい説明を省略し、その相違点のみを説明する。
【００５１】
図８及び図９に示されているように、本発明の第３の実施形態においては、第１の電気供給レール２６１と第２の電気供給レール２６２とが、一対の側面板２３の互いに向き合う２つの面の真中に、底板２１と直交する直線Ｌに沿って配置されている。そして、図９に示されているように、第１の電気供給レール２６１と第２の電気供給レール２６２の位置に対応して、一対の接電端子３５１は、支持台３における一対の側面板２３に臨む２つの内側設置面３８にそれぞれ設置されている。
【００５２】
この第３の実施形態の構成によれば、本発明の第１の実施形態と同じ機能と効果が発揮できる上に、第１の電気供給レール２６１と第２の電気供給レール２６２がそれぞれ一対の側面板２３の互いに向き合う２つの面の真中に延伸する直線Ｌに沿って配置されているので、支持台３の下面３６及び上面３７が逆になるように一対の側面板２３の間に取り付けるような設置方法でも、支持台３が有する一対の接電端子３５１は第１の電気供給レール２６１及び第２の電気供給レール２６２に挿し込まれて電気的に接続することができる。
【００５３】
次いで、図１０と図１１を用いて本発明の第４の実施形態について説明する。
本発明の第４の実施形態は、上記第３の実施形態と類似する構成を有するので、ここでは詳しい説明を省略し、その相違点のみを説明する。
【００５４】
本発明の第４の実施形態は、図６及び図７に示される第２の実施形態に類似し、天板２２と互いに向き合う一対の側面板２３と底板２１とからなる支持フレーム２と、２枚の支持台３とにより構成されている上、更に第１の実施形態のように裏面板２４が追加されている。
【００５５】
この第４の実施形態において、一対の電気供給レール２６１，２６２は、第１の実施形態と類似して、裏面板２４に配置されており、そして、２枚の支持台３もそれぞれ第１の実施形態における２枚の支持台３のように、裏面板２４に配置される一対の電気供給レール２６１，２６２に対応する類似の構成を有しているので、ここでは詳しい説明を省略する。
【００５６】
この第４の実施形態は、電気的に接続手段が第１の実施形態と類似し、それ以外の構成が第２の実施形態と類似するので、本発明の第１の実施形態と同じ機能と効果が発揮できる。
【００５７】
次いで、図１２と図１３を用いて本発明の第５の実施形態について説明する。
本発明の第５の実施形態は、上記第４の実施形態と類似する構成を有するので、ここでは詳しい説明を省略し、その相違点のみを説明する。
【００５８】
図１２及び図１３に示されているように、本発明の第５の実施形態について、一対の電気供給レール２６１，２６２は、互いに離れて裏面板２４に設置されている。一対の接電端子３５１は、一対の電気供給レール２６１，２６２の設置位置に対応して、支持台３における内側設置面３８に設置されている。
【００５９】
この第５の実施形態は、一対の電気供給レール２６１，２６２及び一対の接電端子３５１の配置以外の構成が第４の実施形態と類似するので、本発明の第１の実施形態と同じ機能と効果が発揮できる上に、一対の電気供給レール２６１，２６２が離れて設置されているので、使用者が一対の電気供給レール２６１，２６２を同時に触って感電する可能性を減少できる。
【産業上の利用可能性】
【００６０】
本発明の収納棚は、照明手段を有する支持台を設置位置に取り付けると同時に、電源に電気的に接続して照明できる構成と、更に電気コードが露出せず、従来の収納棚より整然とした外観とを有するので、商店や展示会場で商品または展示品を展示することに好適である。
【符号の説明】
【００６１】
２    支持フレーム
２１    底板
２２    天板
２３    側面板
２４    裏面板
２５    支持台設置位置
２５０    挿込孔
２６    電気供給部
２６１    第１の電気供給レール
２６２    第２の電気供給レール
２７    接電溝
３    支持台
３１    本体
３２    照明手段
３２０    拡散板
３２１    照明装置
３２２    ダクトレール
３３    接続回路
３４    発光制御手段
３４１    発光操作パネル
３５    電気接続部
３５１    接電端子
３６    下面
３７    上面
３８    内側設置面
４    電源制御手段
４１    電源操作パネル
Ｌ    直線
【図１】
2015071027.tif 000003
【図２】
2015071027.tif 000004
【図３】
2015071027.tif 000005
【図４】
2015071027.tif 000006
【図５】
2015071027.tif 000007
【図６】
2015071027.tif 000008
【図７】
2015071027.tif 000009
【図８】
2015071027.tif 000010
【図９】
2015071027.tif 000011
【図１０】
2015071027.tif 000012
【図１１】
2015071027.tif 000013
【図１２】
2015071027.tif 000014
【図１３】
2015071027.tif 000015
【図１４】
2015071027.tif 000016